(57)【要約】【課題】光ディスク装置のフロントパネルが、構成要素の間の隙間（ガタ）によって傾き、これを搭載するＰＣの筐体と接触して、ディスクのインサートとイジェクトにおける動作不良を発生する問題を軽減する。【解決手段】光ディスク装置のボトムケースに取付けられたレールガイドに対して、レールを介して移動するディスクトレイを有し、ディスクトレイとレールガイドはディスクがインサートされた際に、互いに応力をかけて接触する突出部を有する。これにより前記隙間が低減され、動作不良の問題が軽減される。前記突出部での接触を点接触に近づける。接触箇所は三箇所又は四箇所とする。レールガイドに前記応力を発生する支持部を設ける。【選択図】図６
2013218769.tif 000002
【特許請求の範囲】
【請求項１】
記録媒体である光ディスクを内部に挿入し、挿入された前記光ディスクを外部に排出する光ディスク装置であって、
当該光ディスク装置の底面側を外装するボトムケースと、
前記光ディスクを搬送して前記光ディスク装置の内部に挿入し、また外部に排出するディスクトレイと、
当該ディスクトレイをガイドして相対的な位置を変化させながら移動させるレールと、
当該レールをガイドして相対的な位置を変化させながら移動させる前記ボトムケースに位置決めされたレールガイドと、
前記ディスクトレイが前記光ディスク装置の内部に位置する際に、前記ディスクトレイを前記レールガイドに対して接触させるための突出部と
を有することを特徴とする光ディスク装置。
【請求項２】
請求項１に記載の光ディスク装置において、前記突出部を前記ディスクトレイが２個、前記レールガイドが４個有し、
前記ディスクトレイが前記光ディスク装置の内部に位置する際に、前記ディスクトレイの２個の突出部は前記レールガイドの４個の突出部のうち２個と接触して前記ディスクトレイの奥行方向の手前側を支持し、前記レールガイドの残る２個の突出部は前記ディスクトレイの奥行方向の奥側の底面を支持することを特徴とする光ディスク装置。
【請求項３】
請求項１に記載の光ディスク装置において、前記突出部を前記ディスクトレイが２個、前記レールガイドが３個有し、
前記ディスクトレイが前記光ディスク装置の内部に位置する際に、前記ディスクトレイの２個の突出部は前記レールガイドの３個の突出部のうち２個と接触して前記ディスクトレイの奥行方向の手前側を支持し、前記レールガイドの残る１個の突出部は前記ディスクトレイの奥行方向の奥側の底面を支持することを特徴とする光ディスク装置。
【請求項４】
請求項１に記載の光ディスク装置において、前記レールガイドは、前記ディスクトレイが前記光ディスク装置の内部に位置する際に、前記ディスクトレイへレールガイドに対する応力を与える支持部を有することを特徴とする光ディスク装置。
【請求項５】
請求項１に記載の光ディスク装置において、前記ディスクトレイと前記レールガイドが前記突出部を有し、当該突出部は、前記ディスクトレイが前記光ディスク装置の内部に位置する際に互いに接触し、
前記突出部のうち全て又は一部の突出部の水平方向の断面積は、前記接触する部分に向かって低減することを特徴とする光ディスク装置。
【発明の詳細な説明】
【技術分野】
【０００１】
本発明は光ディスク装置に係り、特に筐体に対するディスクトレイの傾きを低減した光ディスク装置に関するものである。
【背景技術】
【０００２】
光ディスク装置において、例えばノート型のパーソナルコンピュータ（以下、ＰＣと略記する）に搭載される装置に対しては、小型化、軽量化、薄型化が強く求められている。現在では、厚さが１２．７ｍｍ、或いは９．５ｍｍの光ディスク装置が一般化してきたが、さらに薄型化するための技術開発が進められている。
特許文献１は、光ディスク装置において、装置の厚さを増加させることなく光ディスクを緊急排出するための機構を開示している。
【先行技術文献】
【特許文献】
【０００３】
【特許文献１】特開２００９−２８３１１０号公報
【発明の概要】
【発明が解決しようとする課題】
【０００４】
ところで、前記したような薄型化された光ディスク装置においては、これを取付けたＰＣとの間の隙間（クリアランス）が少ないことが多い。このため、光ディスクを搭載して挿入（インサート）し、また排出（イジェクト）するためのディスクトレイが傾きを発生した場合に、光ディスク装置のフロントパネルとＰＣの光ディスクの挿入部周辺の筐体とが接触し、例えばイジェクト動作の不良を起こすことがある。特許文献１を含め、この動作不良に対する解決策は特に開示されていない。
本発明の目的は前記した問題に鑑み、筐体に対するディスクトレイの傾きを低減した光ディスク装置を提供することにある。
【課題を解決するための手段】
【０００５】
前記課題を解決するため本発明は、記録媒体である光ディスクを内部に挿入し、挿入された前記光ディスクを外部に排出する光ディスク装置であって、
当該光ディスク装置の底面側を外装するボトムケースと、
前記光ディスクを搬送して前記光ディスク装置の内部に挿入し、また外部に排出するディスクトレイと、
当該ディスクトレイをガイドして相対的な位置を変化させながら移動させるレールと、
当該レールをガイドして相対的な位置を変化させながら移動させる前記ボトムケースに位置決めされたレールガイドと、
前記ディスクトレイが前記光ディスク装置の内部に位置する際に、前記ディスクトレイを前記レールガイドに対して接触させるための突出部と
を有することを特徴としている。
【０００６】
また本発明は前記光ディスク装置において、前記突出部を前記ディスクトレイが２個、前記レールガイドが４個有し、
前記ディスクトレイが前記光ディスク装置の内部に位置する際に、前記ディスクトレイの２個の突出部は前記レールガイドの４個の突出部のうち２個と接触して前記ディスクトレイの奥行方向の手前側を支持し、前記レールガイドの残る２個の突出部は前記ディスクトレイの奥行方向の奥側の底面を支持することを特徴としている。
【発明の効果】
【０００７】
本発明によれば、筐体に対するディスクトレイの傾きを低減した光ディスク装置を提供でき、光ディスク装置の信頼性向上に寄与できるという効果がある。
【図面の簡単な説明】
【０００８】
【図１】一実施例における光ディスク装置の正面斜め上側からの第１の斜視図である。
【図２】一実施例における光ディスク装置の正面斜め下側からの斜視図である。
【図３】一実施例における光ディスク装置の正面斜め上側からの第２の斜視図である。
【図４】一実施例における光ディスク装置の正面斜め上側からの第３の斜視図である。
【図５】一実施例における光ディスク装置の第１の断面図である。
【図６】一実施例における光ディスク装置の第２の断面図である。
【図７】一実施例における光ディスク装置の第３の断面図である。
【図８】一実施例における光ディスク装置の第４の断面図である。
【図９】従来例における光ディスク装置の第１の断面図である。
【図１０】従来例における光ディスク装置の第２の断面図である。
【図１１】一実施例におけるレールガイドの第１の拡大図である。
【図１２】一実施例におけるレールガイドの第２の拡大図である。
【図１３】一実施例におけるレールガイドの第３の拡大図である。
【図１４】一実施例におけるレールガイドの第４の拡大図である。
【図１５】一実施例における光ディスク装置の第５の断面図である。
【発明を実施するための形態】
【０００９】
以下、本発明の実施例につき図面を用いて説明する。
図１は、一実施例における光ディスク装置１の正面斜め上側からの第１の斜視図であり、ディスクトレイ１１が光ディスク装置１の外部に送出された状態を、正面右寄りから示している。図１におけるディスクトレイ１１の手前側には、フロントパネル（ベゼルとも呼ばれる）２が取付けられている。トップケース３とボトムケース４は、ディスクトレイ１１が光ディスク装置１の内部に格納された状態では、光ディスク装置１をトップ側とボトム側の双方から外装する。トップケース３とボトムケース４は、アルミをはじめとする金属で形成されることが多い。特にボトムケース４は、光ディスク装置１が有する各構成要素の取付け位置の基準となるため、ボトムシャーシとも呼ばれる。
【００１０】
ディスクトレイ１１は搭載される光ディスクの一部分を保持する。一方、トップケース３とボトムケース４は、ディスクトレイ１１によって搬送された光ディスクが光ディスク装置１の内部に挿入された状態で、光ディスクの全体をカバーする大きさを有する。このため例えば図１では、トップケース３とボトムケース４は向かって右側に向けて、図中に５で示す部分だけディスクトレイ１１よりも幅が広がっている。５の部分をウィング部とも呼ぶ。図１ではトップケース３と、そのウィング部５の多くが示されている。
図２は、一実施例における光ディスク装置１の正面斜め下側からの斜視図である。図２ではボトムケース４と、そのウィング部５の多くが示されている。
なお、図１と図２に示す光ディスク装置１は一例であって、本実施例を限定するものではない。例えばディスクトレイ１１の形状、ウィング部５の形状と位置などは異なる例を考えることができるが、いずれに対しても本実施例を適用することができる。
【００１１】
図３は、一実施例における光ディスク装置１の正面斜め上側からの第２の斜視図であり、ディスクトレイ１１が光ディスク装置１の外部に送出された状態を、図１とは異なり正面左寄りから示している。さらに図１とは異なり、トップカバー３を取外した状態で示している。図の手前側に、後に説明するレール１２が示されている。
図４は、一実施例における光ディスク装置１の正面斜め上側からの第３の斜視図であり、図３とは異なり、ディスクトレイ１１が光ディスク装置１の内部に格納された状態を示している。この場合、レール１２はディスクトレイ１１の位置に応じて光ディスク装置１の内部に位置するため、示されていない。
【００１２】
次に、図３でＡ−Ａ１、図４でＢ−Ｂ１と記して示した位置における断面図を用いて、本実施例におけるディスクトレイ１１の位置に応じた他の構成要素との位置関係について説明する。
図５は、一実施例における光ディスク装置１の第１の断面図であり、図３のＡ−Ａ１における断面を示している。なお、理解しやすくするため、実態図ではなく模式図で示す。
図６は、一実施例における光ディスク装置１の第２の断面図であり、図４のＢ−Ｂ１における断面を、図５と同様な方法で示している。
図５と図６では、ボトムケース４、ディスクトレイ１１、レール１２、レールガイド１３、ディスクトレイの突出部１１１及びレールガイドの突出部１３１と１３２が示されている。双方の図を比較することにより、ディスクトレイ１１が光ディスク装置１の外部に送出された状態と、光ディスク装置１の内部に格納された状態での、各構成要素の相対的な位置関係が明確にされる。
【００１３】
ディスクトレイ１１が位置を移動する際は、ボトムケース４に取付けられたレールガイド１３によって前後方向に導かれるレール１２がスライドし、さらにレール１２に対してディスクトレイ１１がスライドすることにより、ディスクトレイ１１が移動される。このため、先に図３でも示したように、ディスクトレイ１１が光ディスク装置１の外部に送出された状態では、レール１２の一部が光ディスク装置１の外部に現れる。この状態でレール１２はディスクトレイ１１を支持する。
レール１２を用いることなく、ボトムケース４に取付けられたレールガイド１３が直接ディスクトレイ１１を支持する方法もある。しかし、本実施例よりも支持強度が弱くなるため、レール１２がディスクトレイ１１とレールガイド１３とを仲介すると良い。
なお、ディスクトレイ１１はポリカーボネードをはじめとする樹脂材料、レール１２はステンレス又はアルミをはじめとする金属材料、レールガイド１３はポリアセタールをはじめとする樹脂材料で構成されることが多い。
【００１４】
ディスクトレイ１１とレール１２、及びレール１２とレールガイド１３の間は、互いに面接触しており、精度良く加工したとしても０．１ｍｍ程度の隙間（ガタ）が発生する。実際、図５に示すような、ディスクトレイ１１が光ディスク装置１の外部に送出された状態では、ディスクトレイ１１は図の上下方向、奥行方向のほか、双方のねじれ方向にも或る程度のガタつきがあることは周知のとおりである。
ディスクトレイ１１が図５で示す位置にある時には、この隙間は左程の問題ではない。しかし、ディスクトレイ１１が光ディスク装置１の内部にある時には、この隙間が問題となる。例えば、光ディスクを搭載したディスクトレイ１１が図５の位置から光ディスク装置１の内部に移動する際に、図３及び図４のフロントパネル２が光ディスク装置１を内蔵するＰＣの筐体に接触し、光ディスクを光ディスク装置１にインサートできないことが起こり得る。反対に、光ディスクを搭載したディスクトレイ１１が光ディスク装置１の外部に移動する際に同様の現象が起これば、光ディスクを光ディスク装置１からイジェクトできないことが起こり得る。
【００１５】
本実施例において、前記した隙間によるインサート動作、イジェクト動作の不良を低減するための方法が、図６で示されている。即ち、レールガイド１３は突出部１３１と１３２を有している。ディスクトレイ１１が光ディスク装置１の内部に格納された状態、もしくは一部が外部にありながら外部にある部分が僅かな状態では、ディスクトレイ１１はレール１２に対してではなく、レールガイド１３によって前記突出部を介して支持されている。しかも、図５の状態とは異なり、可動部を介して支持されるのではなく、図６では、狭い面積で対向して、いくらかの応力がかかった状態で支持される。即ち、ディスクトレイ１１の奥側（図６の左側）の底面はボトムケース４の突出部１３１と、ディスクトレイ１１の手前側（図６の右側）に設けられた突出部１１１はボトムケース４の突出部１３２と、応力のかかった状態で接触することにより、前記した隙間を低減している。これにより前記したディスクトレイ１１の傾きが低減され、光ディスクをインサート又はイジェクトする際の動作不良も低減される。
なお、図６の例では、突出部１１１、１３１及び１３２がディスクトレイ１１とレール１２の間に、高さ方向のギャップを設ける点も一つの特徴となっている。
【００１６】
図７は、一実施例における光ディスク装置１の第３の断面図であり、図４のＣ−Ｃ１における断面を示している。
図８は、一実施例における光ディスク装置１の第４の断面図であり、図４のＤ−Ｄ１における断面を示している。なお、図７と図８は、図５と図６とは異なり、模式図ではなく実態図の一例で示している。
図６乃至図８から明らかなように、ディスクトレイ１１はその突出部１１１と１１２がレールガイド１３の突出部１３２と１３３に対し、またディスクトレイ１１の奥側の底面はレールガイド１３の突出部１３１と１３４に対して、応力のかかった状態で接触している。
なお、接触させる場所は四箇所ではなく、三箇所であっても良い。その場合は、手前側（Ｄ−Ｄ１の断面）を二箇所、奥側（Ｃ−Ｃ１の断面）を一箇所とすると良い。図６の状態において、フロントパネル２から遠い奥側で発生する隙間は、手前側で発生する隙間よりも影響が小さいので、このような実施例でも目的とした効果が発揮される。
【００１７】
ここで従来例を示して、本実施例の特徴をさらに明らかにする。
図９は、従来例における光ディスク装置の第１の断面図であり、本実施例における図５に対応した状態を示している。
図１０は、従来例における光ディスク装置の第２の断面図であり、本実施例における図６に対応した状態を示している。
図１０から明らかなように、先の実施例とは異なり、従来の光ディスク装置では、ディスクトレイ１１０が光ディスク装置１の内部に格納された状態においても、ディスクトレイ１１０はレール１２０を介してレールガイド１３０に支持されている。従ってこの状態においても、ディスクトレイ１１０は図の上下方向、左右方向のほか、ねじれ方向にも或る程度のガタつきがあり、フロントパネル２が光ディスク装置１を内蔵するＰＣの筐体に接触し易い。このため、前記した光ディスクのインサート動作、イジェクト動作における動作不良が、本実施例よりも多く発生することが分かる。
【００１８】
本実施例では、図６におけるディスクトレイ１１を、レールガイド１３に対して各突出部を介して支持するための応力が必要である。この応力を発生するためのレールガイド１３の構造の一例を、次に説明する。
図１１乃至図１４は、一実施例におけるレールガイド１３の第１乃至第４の拡大図である。光ディスク装置１はディスクトレイ１１の左側及び右側を支持する二つのレールガイド１３を有するが、図１１は左側レールガイドの手前側、図１２は左側レールガイドの奥側、図１３は右側レールガイドの奥側、図１４は右側レールガイドの手前側を示している。
レールガイド１３に例えば板バネ状の支持部１３５乃至１３８を設け、図面上でその下面においてディスクトレイ１１に対し応力を与えることにより、前記した隙間を低減することができる。
【００１９】
なお、図１１乃至図１４においても、先の突出部１３１乃至１３４を示している。即ち、突出部１３１と１３２は、ディスクトレイ１１を、図３で描く向きから見て下側と左側から支持する。突出部１３３と１３４は、ディスクトレイ１１を、図３で描く向きから見て下側から支持する。これにより、ディスクトレイ１１においては、左右方向の隙間も低減されている。
【００２０】
次に、本実施例の変形例を説明する。
図１５は、一実施例における光ディスク装置の第５の断面図である。各構成要素は、先の実施例における図６に対応しているが、突出部１１１Ａの断面積を突出部１３２との接触部に向けて小さくすることにより、さらに点接触に近づけた例を示す。もちろん、突出部１１１Ａの形状は図６と同様とし、突出部１３２の断面積を接触部に向けて小さくしても良い。なお、先に示した図８の突出部１１１においても、図１５で示した方法が適用されている。
各突出部の接触部の強度が充分である範囲で接触面積を低減すれば、接触面のソリによる隙間（ガタ）の発生を、いっそう低減する効果がある。
【００２１】
なお、同様の方法を図１１乃至図１４の支持部１３５乃至１３８に対しても適用することができる。即ち、支持部１３５乃至１３８をディスクトレイ１１と広い面積で接触させると、平面の加工精度に応じた新たな隙間を発生させ易い。そこで、支持部１３５乃至１３８において、接触部の強度が充分である範囲で接触面積を低減し、点接触に近い方法で接触させることにより、隙間を低減すると良い。
ここまで示した実施形態は一例であって、本発明を限定するものではない。本発明の趣旨に基づきながら異なる実施形態を考えられるが、いずれも本発明の範疇にある。
【符号の説明】
【００２２】
１：光ディスク装置、２：フロントパネル、３：トップケース、４：ボトムケース、５：ウィング部、１１：ディスクトレイ、１２：レール、１３：レールガイド、１１１，１１２，１３１，１３２，１３３，１３４：突出部、１３５，１３６，１３７，１３８：支持部。
【図１】
2013218769.tif 000003
【図２】
2013218769.tif 000004
【図３】
2013218769.tif 000005
【図４】
2013218769.tif 000006
【図５】
2013218769.tif 000007
【図６】
2013218769.tif 000008
【図７】
2013218769.tif 000009
【図８】
2013218769.tif 000010
【図９】
2013218769.tif 000011
【図１０】
2013218769.tif 000012
【図１１】
2013218769.tif 000013
【図１２】
2013218769.tif 000014
【図１３】
2013218769.tif 000015
【図１４】
2013218769.tif 000016
【図１５】
2013218769.tif 000017